(57)【要約】【課題】本発明は、壁紙に対して、強い揺れに対しても耐震性能が発揮できる粘着マットの壁面設置方法を提供することを目的とする。【解決手段】本発明に係る粘着マットの壁面設置方法は、表裏両面に粘着性を有する粘着マット２１と一方の面のみが粘着性を有する粘着シート１１とを使用して、壁面Ａに設置対象物Ｂを固定するための粘着マット２１を壁面に貼着する設置方法であって、前記粘着シート１１は、前記粘着マット２１の面積の４倍以上の面積を有しており、前記粘着シート１１の貼着面を壁面Ａに貼着する粘着シート貼着工程と、前記粘着シート貼着工程後に、前記粘着シート１１に粘着マット２１の一方の面を貼着する粘着マット貼着工程とを含むことを特徴とする。【選択図】        図２
2019011433.tif 000002
【特許請求の範囲】
【請求項１】
表裏両面に粘着性を有する粘着マットと一方の面のみが粘着性を有する粘着シートとを使用して、表面に接着性低減層を有しない壁紙で構成されている壁面に設置対象物を固定するための粘着マットを壁面に貼着する設置方法であって、
前記粘着シートは、前記粘着マットの面積の４倍以上の面積を有しており、
前記粘着シートの貼着面を壁面に貼着する粘着シート貼着工程と、
前記粘着シート貼着工程後に、前記粘着シートに粘着マットの一方の面を貼着する粘着マット貼着工程とを含む
ことを特徴とする粘着マットの壁面設置方法。
【請求項２】
表裏両面に粘着性を有する粘着マットと一方の面のみが粘着性を有する粘着シートとを使用して、表面に接着性低減層を有する壁紙で構成されている壁面に設置対象物を固定するための粘着マットを壁面に貼着する設置方法であって、
前記粘着シートは、前記粘着マットの面積の４倍以上の面積を有しており、
前記壁面の接着性低減層を接着性低減層除去剤により除去する接着性低減層除去工程と、
前記接着性低減層除去工程後に、前記粘着シートの貼着面を壁面に貼着する粘着シート貼着工程と、
前記粘着シート貼着工程後に、前記粘着シートに粘着マットの一方の面を貼着する粘着マット貼着工程とを含む
ことを特徴とする粘着マットの壁面設置方法。
【発明の詳細な説明】
【技術分野】
【０００１】
本発明は、床面や机上面等に設置される設置対象物を、耐震のために固定するための粘着力を有する粘着マット（一般に「耐震マット」と呼ばれることがある）の設置方法に関し、特に粘着マットを壁面に貼着して設置対象物を固定する粘着マットの設置方法に関する。
【０００２】
前記の設置対象物としては、例えば、電子レンジ、ガスレンジ、電気オーブン、冷蔵庫等の厨房機器、テレビ、オーディオ等の映像・音響機器等の家電製品、ＦＡＸ及びプリンター複合複写機、デスクトップ型パソコン、ワークステーション、ワードプロセッサー、タイプライター、卓上プリンタ等のＯＡ機器、ゲーム機、ロッカー、書棚、キャビネット等のオフィス用什器を含む家具、観賞用水槽及び各種機械器具などがある。
【０００３】
設置対象物の粘着力による固定とは、例えば、設置対象物が、地震等による大きな揺れや振動等により、その設置された位置から滑り移動、跳ね上がり、転倒及び転落等の移動が発生するのを防止するための固定であって、着脱が可能な固定であり、その固定に使用される粘着マットとは、例えば、振動を吸収する耐震性能を有する粘着マットのことである。
【背景技術】
【０００４】
従来、耐震のための粘着マットは、例えばその一方の面を設置物の底面に貼着し、他方の面を床面等に貼着するなどして設置使用されている。
【０００５】
しかしながら、設置対象物が重量物の場合、耐震マットの設置時に粘着マットを貼着するために設置対象物を持ち上げる必要がある。そのため、より簡単に粘着マットを設置できるように設置対象物の底面ではなく天板の上面や棚などの上面へ粘着マットの一方の面を貼着し、他方の面を他物に貼着する粘着マットの設置方法が求められていた。
【０００６】
また、設置対象物が大型冷蔵庫や大型複合複写機等のような装置の場合、その底面に凹凸部が形成されていたり、支持脚又はキャスター等の支持具が配されていて、粘着マットを設置するだけの平坦な部分を確保することができない場合が多く、そのため底面での耐震固定ができないことが多い。
【０００７】
そこで、設置対象物の底面を利用しない粘着マットの設置方法として、壁面と設置対象物の上面、壁面と設置対象物の背面や、壁面と設置対象物の側面を利用して粘着マットを設置することが考えられる。
【０００８】
しかしながら、粘着マットを直接壁紙に貼着しても、凹凸が大きい壁紙や汚れ防止処理や撥水処理が施されている壁紙の場合は、粘着マットの粘着力が十分に発揮できないために、揺れにより粘着マットが壁紙から剥がれることがあり、耐震性能が不十分だった。また、凹凸が小さく、汚れ防止処理や撥水処理がなされていない壁紙の場合には粘着マットは壁紙に強粘着するが、地震による衝撃力が粘着マットのみにかかるため、粘着マットが貼着された壁紙部分が破損して剥がれてしまうことにより、耐震性能が発揮されないこともあった。
【発明の概要】
【発明が解決しようとする課題】
【０００９】
上記の現状を解決するために、壁紙を利用する耐震固定では、粘着マットの貼着面と同一か又は１割程度大きい面積を有する補助シートを使用する商品が販売されている。
【００１０】
この補助シートにより粘着マットは壁紙に強粘着するが、前述のように補助シートの大きさが粘着マットの大きさとほぼ同一のため、地震による衝撃力が粘着マットを介してほぼ同一面積の補助シートのみにかかるため、強い揺れでは壁紙と補助シート間で剥がれてしまう課題がある。
【００１１】
また、壁紙に下塗り剤を塗布して粘着マットが粘着しやすくする商品が販売されている。
【００１２】
この場合は、凹凸の大きな壁紙に対してはその凹凸に粘着マットが強粘着しない課題がある。
【００１３】
したがって上記のいずれの商品も十分な効果が得られるものではなかった。
【００１４】
そこで、本発明は、壁紙に対して、強い揺れに対しても耐震性能が発揮できる粘着マットの壁面設置方法を開発した。
【課題を解決するための手段】
【００１５】
本発明に係る粘着マットの壁面設置方法は、表裏両面に粘着性を有する粘着マットと一方の面のみが粘着性を有する粘着シートとを使用して、表面に接着性低減層を有しない壁紙で構成されている壁面に設置対象物を固定するための粘着マットを壁面に貼着する設置方法であって、前記粘着シートは、前記粘着マットの面積の４倍以上の面積を有しており、前記粘着シートの貼着面を壁面に貼着する粘着シート貼着工程と、前記粘着シート貼着工程後に、前記粘着シートに粘着マットの一方の面を貼着する粘着マット貼着工程とを含むことを特徴とする。
【００１６】
また、本発明に係る粘着マットの壁面設置方法は、表裏両面に粘着性を有する粘着マットと一方の面のみが粘着性を有する粘着シートとを使用して、表面に接着性低減層を有する壁紙で構成されている壁面に設置対象物を固定するための粘着マットを壁面に貼着する設置方法であって、前記粘着シートは、前記粘着マットの面積の４倍以上の面積を有しており、前記壁面の接着性低減層を接着性低減層除去剤により除去する接着性低減層除去工程と、前記接着性低減層除去工程後に、前記粘着シートの貼着面を壁面に貼着する粘着シート貼着工程と、前記粘着シート貼着工程後に、前記粘着シートに粘着マットの一方の面を貼着する粘着マット貼着工程とを含むことを特徴とする。
【００１７】
上記において、前記粘着シートは、厚さが２３μｍ以上で１２５μｍ以下であるポリエチレンテレフタレートシートに、アクリル系粘着剤又はシリコーン系粘着剤を塗布したものであって、粘着剤層の厚さが２５μｍ以上で６０μｍ以下の範囲であり、前記接着性低減層の除去剤が、接着性低減層を溶解する有機溶剤又はアルカリ性水溶液であることが好ましい。
【発明の効果】
【００１８】
以上のように、粘着マットの壁面設置方法は、粘着マットの面積の４倍以上の面積の合成樹脂製の粘着シートを壁面に貼着した後に、当該粘着シートに粘着マットを貼着するので、地震による衝撃力が粘着マットを介して粘着マットの４倍以上の面積の粘着シートにかかるため、強い揺れでも壁紙と粘着シートとの間で剥がれてしまうおそれがない。このように、粘着シートを壁紙に貼着することにより、直接粘着マットを貼ったときに生じることがある壁紙の破損を防止することができる。もちろん、粘着シートを壁紙に貼着することにより、凹凸がある壁紙を利用した壁に対しても耐震施工ができる。
【００１９】
また、壁面が、表面に防汚層や撥水層等の接着性低減層を有するビニルクロス張りのような場合には、接着性低減層により粘着性が低下するため壁面の接着性低減層を除去し、その後に粘着シートを壁面に貼着するので、粘着性の低下が解消され、かつ、凹凸の大きい壁紙に対しても粘着シートによりその凹凸が平坦化するので、粘着マットによる強粘着が得られる。このように粘着マットや粘着シートが十分に貼着しない接着性低減層を有する壁紙をアセトンや塩素系漂白剤で壁紙を拭くことにより接着性低減層が除去されるので、粘着マットや粘着シートが強粘着するようになり、壁を利用した耐震施工が可能になり、接着性低減加工している壁紙への耐震加工ができる。
【００２０】
したがって、重量物を持ち上げずに、設置対象物の上面・側面又は背面を利用した耐震施工ができ、冷蔵庫のように底面への粘着マットの設置が困難な設置対象物への耐震施工ができる。
【図面の簡単な説明】
【００２１】
【図１】本発明に係る粘着マットの壁面設置方法に関して、壁面に貼着した粘着シート上に粘着マットを貼着した状態を示す概略図である。
【図２】本発明に係る粘着マットの壁面設置方法の一例であって、壁面に設置対象物の背面を固定する場合の粘着マットの壁面設置方法を示す概略説明図である。
【図３】本発明に係る粘着マットの壁面設置方法の一例であって、壁面に設置対象物の上面を固定する場合の粘着マットの壁面設置方法を示す概略説明図である。
【図４】本発明に係る粘着マットの壁面設置方法の一例であって、壁面に設置対象物の側面を固定する場合の粘着マットの壁面設置方法を示す左側面側から見た概略説明図である。
【図５】本発明に係る粘着マットの壁面設置方法の一例であって、壁面に設置対象物の側面を固定する場合の粘着マットの壁面設置方法を示す右側面側から見た概略説明図である。
【図６】本発明に係る粘着マットの壁面設置方法の一例であって、壁面に冷蔵庫の背面の移動用提げ手を固定する場合の粘着マットの壁面設置方法を示す概略説明図である。
【発明を実施するための形態】
【００２２】
本発明の実施の形態は、強い揺れに対しても耐震性能がある壁紙への耐震マットの設置方法である。
【００２３】
具体的には、壁紙に粘着シートを貼着する工程と、粘着シート上に粘着マットを貼着する工程からなる粘着マットの設置方法である。また、防汚層や撥水層等の接着性低減層を有するビニルクロス製壁紙の場合には、ビニルクロス製壁紙の接着性低減層を除去する工程と、接着性低減層を除去した壁紙に粘着シートを貼着する工程と、粘着シート上に粘着マットを貼着する工程からなる粘着マットの設置方法となる。
【００２４】
壁紙をアセトン等で拭くことにより壁紙表面の防汚層や撥水層等の接着性低減層を除去し、壁紙と粘着シートの粘着力を高める。また、粘着シートを貼着することにより、粘着マットが追随できないような凹凸のある壁紙を利用した壁面に対しても耐震施工ができるようになる。さらに、粘着マットよりも面積の大きな粘着シートを壁紙に貼着することにより地震による衝撃力を分散させることができ、粘着マットを直接壁紙に貼ったときに発生する壁紙の破損を防ぐことができる。
【００２５】
防汚層や撥水層等の接着性低減層の除去には、接着性低減層を溶解する有機溶剤やアルカリ性水溶液を使用できる。家庭での使用を考慮すると入手しやすいものが望ましく、前者は、化粧品等店で市販されているマニキュアを除去する除光液やネイルジェルを除去するアセトンを含浸させたパッドなどの有機溶剤を含有する商品が好ましく使用できる。後者は塩素系漂白剤、例えば「キッチンハイター（商品名）」を好ましく使用できる。
【００２６】
粘着シートはプラスチックシートの片面に粘着剤を塗布したものを使用できる。プラスチックシートは、機械的強度が強いこと、粘着マットが強く粘着すること、透明であること（壁に貼っても目立たない）からポリエチレンテレフタレートシートが特に好ましい。プラスチックシートの厚さは２３μｍ以上で１２５μｍ以下のものが望ましい。２３μｍよりも薄いと壁紙に貼るときに皺になりやすく、また、機械的強度が不足する。１２５μｍよりも厚いとコスト高になる。粘着マットを貼着する施工性やコストを考慮すると、５０μｍ以上で７５μｍ以下のものが特に好ましい。なお、プラスチックシートは壁に貼ったときに目立たないことから無色透明であることが好まれるが、これに限られるわけではなく、着色シートや、模様などを表面印刷したシート、エンボス加工したシートも使用できる。
【００２７】
粘着剤は、ビニルクロス用粘着剤を使用できる。透明なプラスチックシートを使用する場合にはアクリル系やシリコーン系の無色の粘着剤が好ましく、凹凸への追随性と粘着力の強さから特にアクリル系粘着剤が好ましい。粘着層の厚さは２５μｍ以上で６０μｍ以下のものが好ましい。２５μｍよりも薄いと凹凸の大きな壁紙に対して粘着が弱くなる。６０μｍよりも厚いとコスト高になり、また、粘着剤がシートからはみ出すなどの問題が生じる。壁紙の凹凸への追随とコストを考慮すると３０μｍ以上で４０μｍ以下のものが特に好ましい。
【００２８】
粘着シートの例として、４０μｍ厚のアクリル系粘着剤を７５μｍ厚のポリエチレンテレフタレートシートに塗布したものが挙げられる。この粘着シートのＪＩＳ  Ｚ０２３７（２０００）準拠の１８０°剥離試験（２１ｋｇゴムローラー１往復圧着、剥離速度：３００ｍｍ／ｍｉｎ、測定環境：２３℃−５０％ＲＨ）で＃３６０研磨したステンレス板に対する２０分値は２．２Ｎ／２５ｍｍ、２４時間値は３５．６Ｎ／２５ｍｍだった。また、保持力（４０℃、１ｋｇ静荷重、被着体：ステンレス板、貼り付け面積：２５ｍｍ×２５ｍｍ）は０．６ｍｍ／５万秒だった。Ｊ．ＤＯＷ法でのボールタックＮｏ．は６だった。
【００２９】
粘着マットは、表裏両面が粘着性を有しており、ウレタン系、スチレン系、シリコーン系の市販品を使用できる。大型冷蔵庫等の重量物に使用する場合には、ＳＵＳ３０４に対する垂直粘着力（引っ張り強度：５００ｍｍ／ｍｉｎ）が３５Ｎ／ｃｍ２以上の粘着マットを特に好ましく使用できる。また出願人が製造販売する商品名「プロセブン耐震マット」が、粘着マットとしてもっとも最適である。商品名「プロセブン耐震マット」は、高い反発弾性により振動吸収性に優れたウレタンエラストマー製であり、その粘着性は、粘着マットに、これを引き剥がそうとする力が急激に働いた場合、例えば、衝突による衝撃や地震などの震動により急激な力が加わって揺れ動いたり、跳ね上がろうとした場合の引き剥がし力に対しては強い粘着力を発揮し、逆に粘着マットに対して、これを引き剥がそうとする力が緩やかに働いた場合には徐々に引き剥がれる剥離性能を有している。
【００３０】
図１は、壁面Ａに貼着した粘着シート１０上に粘着マット２０を貼着した状態を示す。粘着シート１０の面積は、耐震施工する設置対象物の形状や重量、ひいては粘着マット２０の面積により適宜変えることができ、粘着マット２０の４倍以上が好ましい。例えば、３２ｃｍ２の粘着マットを使用する場合には粘着シートの面積は１２８ｃｍ２以上が好ましい。１２８ｃｍ２よりも小さいと地震による衝撃で粘着シートが壁紙から剥がれるおそれがある。壁面への粘着マットの貼着位置は、棚等の上面を利用して耐震固定する場合には、棚と壁に大きな隙間が空かないように棚と同じ高さ若しくは上方が好ましい。また、粘着マットは粘着シートの任意の位置に貼着することができるが、中央部に貼着すると最も効果がある。
【００３１】
壁面に取り付けた粘着マットと耐震施工を行う設置対象物との連結の例としては以下のとおりである。
【００３２】
図２は、壁面Ａに設置対象物Ｂの背面Ｂ１を固定する場合の粘着マットの壁面設置方法を示すものであって、壁面Ａに粘着シート１１を貼着し、当該粘着シート１１上に粘着マット２１の一方の面を貼着し、当該粘着マット２１の他方の面に設置対象物Ｂの背面Ｂ１を貼着することにより、粘着マット２１を挟んで壁面に設置対象物の背面Ｂ１が固定され、これにより設置対象物Ｂの全体が壁面Ａに固定されることになる。
【００３３】
図３は、壁面Ａに設置対象物Ｂの上面Ｂ２を固定する場合の粘着マットの壁面設置方法を示すものであって、設置対象物Ｂの上面Ｂ２より少し高い位置の壁面Ａに粘着シート１２を貼着し、当該粘着シート１２上に粘着マット２２ａの一方の面を貼着し、粘着マット２２ａの他方の面に固定ネジ付きプレート３２ａを貼着する。また、設置対象物Ｂの上面Ｂ２の適宜位置に粘着マット２２ｂの一方の面を貼着し、粘着マット２２ｂの他方の面に固定ネジ付きプレート３２ｂを貼着する。そして、それぞれの固定ネジ付きプレート３２ａ，３２ｂの固定ネジ４２ａ，４２ｂを連結プレート５２により連結し、固定ネジ４２ａ，４２ｂを締め付けることにより連結プレート５２を固定ネジ付きプレート３２ａ，３２ｂに固定することにより、壁面Ａに設置対象物Ｂの上面Ｂ２が固定され、これにより壁面Ａに設置対象物Ｂ全体が固定されることになる。
【００３４】
図４及び図５は、壁面Ａに設置対象物Ｂの側面Ｂ３を固定する場合の粘着マットの壁面設置方法を示すものであって、設置対象物Ｂの側面Ｂ３より側方に向かって少し離れた位置の壁面Ａに粘着シート１３を貼着し、当該粘着シート１３上に粘着マット２３ａの一方の面を貼着し、粘着マット２３ａの他方の面に固定ネジ付きプレート３３ａを貼着する。また、設置対象物Ｂの側面Ｂ３の適宜位置に粘着マット２３ｂの一方の面を貼着し、粘着マット２３ｂの他方の面に固定ネジ付きプレート３３ｂを貼着する。そして、それぞれの固定ネジ付きプレート３３ａ，３３ｂの固定ネジ４３ａ，４３ｂを連結プレート５３により連結し、固定ネジ４３ａ，４３ｂを締め付けることにより連結プレート５３を固定ネジ付きプレート３３ａ，３３ｂに固定することにより、壁面Ａに設置対象物Ｂの側面Ｂ３が固定され、これにより壁面Ａに設置対象物Ｂ全体が固定されることになる。
【００３５】
なお、図示は省略するが、図３に示す壁面に設置対象物の上面を固定する場合の粘着マットの壁面設置方法と図４及び図５に示す壁面に設置対象物の側面を固定する場合の粘着マットの壁面設置方法との両壁面設置方法を採用して、壁面に対して設置対象物の上面及び側面が固定されるようにしてもよい。
【００３６】
図６は、壁面Ａに設置対象物である冷蔵庫Ｃの背面の移動用提げ手Ｃ１を固定する場合の粘着マットの壁面設置方法を示すものであって、冷蔵庫Ｃの背面上端の両側部に取り付けられている移動用提げ手（図に示すものはコの字型部材）Ｃ１より少し高い位置の壁面Ａに粘着シート１４を貼着し、当該粘着シート１４上に粘着マット２４の一方の面を貼着し、粘着マット２４の他方の面に係合具（図に示すものはＣ型部材）付きプレート３４を貼着する。そして、緊締可能な連結ベルト５４を移動用提げ手Ｃ１と係合具付きプレート３４における係合具４４とにリング状に掛け渡した後、連結ベルト５４を強く緊締することにより、壁面Ａに冷蔵庫Ｃの移動用提げ手Ｃ１が固定され、これにより壁面Ａに冷蔵庫Ｃ全体が固定されることになる。
【００３７】
なお、上記図２〜図６によって説明した施工例において、壁面の表面が防汚層や撥水層等の接着性低減層を有するビニルクロス張りのような場合には、接着性低減層により粘着性が低下するため壁面の接着性低減層を除去し、その後に粘着シートを壁面に貼着することにより、粘着性の低下が解消され、かつ、凹凸の大きい壁紙に対しても粘着シートによりその凹凸が平坦化するので、粘着マットによる強粘着が得られることになる。
【実施例】
【００３８】
以下の実施例１〜９と比較例１〜１１とを実施し、１９９５年兵庫県南部地震において兵庫県神戸市中央区山手で発生した地震波に基づき、３軸起震装置での耐震試験を行った。その結果をまとめたものが表１である。
【００３９】
【表１】
2019011433.tif 000003
【実施例１】
【００４０】
設置対象物としてスチールロッカー（サイズ：９００ｍｍ、５１５ｍｍ、１７９０ｍｍ。重量：自重５３ｋｇ、内容物重量７０ｋｇ。以下、同じ。）を使用し、図３に示すように、ロッカーの上面と壁紙とを、固定ネジ付きプレート及び連結プレート（以下、これらを総称して単に「治具」という。）を介して粘着マットにより固定した。
【００４１】
本実施例においては、壁紙の表面には接着性低減層を有しないものを使用しているので、接着性低減層除去剤による接着性低減層除去工程を経ずに、厚さ７５μｍのポリエチレンテレフタレートシートを基材とし、粘着面にアクリル系の粘着剤を４０μｍの厚さになるように塗布した８ｃｍ×１６ｃｍの粘着シート２枚を壁紙の適宜位置（ロッカーの高さより少し上方の左右）に貼着して、各粘着シートに４ｃｍ×８ｃｍの粘着マットを貼着した。
【００４２】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００４３】
耐震試験において、ロッカーは転倒しなかった。
【実施例２】
【００４４】
設置対象物としてロッカーを使用し、図３に示すように、ロッカーの上面と壁紙とを治具を介して粘着マットにより固定した。
【００４５】
本実施例においては、壁紙の表面に接着性低減層を有するものを使用しているので、接着性低減層除去剤であるアセトンを使用しての接着性低減層除去工程（アセトンを使用しての接着性低減層除去工程とは、アセトンを含浸させた不織布、布、キッチンペーパー、ティッシュペーパー等のアセトンが含浸可能な材料で払拭することを意味する。以下、同じ。）を経た上で、厚さ７５μｍのポリエチレンテレフタレートシートを基材とし、粘着面にアクリル系の粘着剤を４０μｍの厚さになるように塗布した２０ｃｍ×２０ｃｍの粘着シート２枚を壁紙の適宜位置（ロッカーの高さより少し上方の左右）に貼着し、各粘着シートに４ｃｍ×８ｃｍの粘着マットを貼着した。
【００４６】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００４７】
耐震試験において、ロッカーは転倒しなかった。
【実施例３】
【００４８】
設置対象物としてロッカーを使用し、図３に示すように、ロッカーの上面と壁紙とを治具を介して粘着マットにより固定した。
【００４９】
本実施例においては、壁紙の表面に接着性低減層を有するものを使用しているので、接着性低減層除去剤である塩素系漂白剤を使用しての接着性低減層除去工程（塩素系漂白剤を使用しての接着性低減層除去工程とは、泡スプレーのキッチンハイター（商品名）を壁紙に吹き付けて数分後にキッチンペーパーや布等の液体吸着性のある払拭具で拭き取ることを意味する。以下、同じ。）を経た上で、厚さ６０μｍのポリエチレンテレフタレートシートを基材とし、粘着面にアクリル系の粘着剤を３０μｍの厚さになるように塗布した８ｃｍ×１６ｃｍの粘着シート２枚を壁紙の適宜位置（ロッカーの高さより少し上方の左右）に貼着し、各粘着シートに４ｃｍ×８ｃｍの粘着マットを貼着した。粘着シート８ｃｍ×１６ｃｍの面積は粘着マット４ｃｍ×８ｃｍの面積の４倍である。
【００５０】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００５１】
耐震試験において、ロッカーは転倒しなかった。
【実施例４】
【００５２】
設置対象物としてロッカーを使用し、図２に示すように、ロッカーの背面と壁紙とを粘着マットにより直接固定した。
【００５３】
本実施例においては、壁紙の表面に接着性低減層を有するものを使用しているので、接着性低減層除去剤であるアセトンを使用しての接着性低減層除去工程を経た上で、厚さ２３μｍのポリエチレンテレフタレートシートを基材とし、粘着面にアクリル系の粘着剤を２５μｍの厚さになるように塗布した１０ｃｍ×１０ｃｍの粘着シート４枚を壁紙の適宜位置（ロッカー背面に位置する上下左右）に貼着し、各粘着シートに４ｃｍ×４ｃｍの粘着マットを貼着した。
【００５４】
そして、ロッカーの背面を前記粘着マットに押し付けて貼着することにより、壁紙にロッカーを固定した。
【００５５】
耐震試験において、ロッカーは転倒しなかった。
【実施例５】
【００５６】
設置対象物としてロッカーを使用し、図２に示すように、ロッカーの背面と壁紙とを粘着マットにより直接固定した。
【００５７】
本実施例においては、壁紙の表面に接着性低減層を有するものを使用しているので、接着性低減層除去剤である塩素系漂白剤を使用しての接着性低減層除去工程を経た上で、厚さ７５μｍのポリエチレンテレフタレートシートを基材とし、粘着面にシリコーン系の粘着剤を４０μｍの厚さになるように塗布した１０ｃｍ×１０ｃｍの粘着シート４枚を壁紙の適宜位置（ロッカー背面に位置する上下左右）に貼着し、各粘着シートに４ｃｍ×４ｃｍの粘着マットを貼着した。
【００５８】
そして、ロッカーの背面を前記粘着マットに押し付けて貼着することにより、壁紙にロッカーを固定した。
【００５９】
耐震試験において、ロッカーは転倒しなかった。
【実施例６】
【００６０】
設置対象物として大型冷蔵庫（サイズ：７５０ｍｍ、７２８ｍｍ、１８２０ｍｍ。重量：自重１０３ｋｇ、内容物重量５０ｋｇ。以下、同じ。）を使用し、図５に示すように、大型冷蔵庫の背面上部に位置する左右の移動用提げ手Ｃ１と壁紙とを、係合具付きプレート及び連結ベルト（以下、総称して「冷蔵庫用治具」という。）を介して粘着マットにより固定した。
【００６１】
本実施例においては、壁紙の表面に接着性低減層を有するものを使用しているので、接着性低減層除去剤であるアセトンを使用しての接着性低減層除去工程を経た上で、厚さ７５μｍのポリエチレンテレフタレートシートを基材とし、粘着面にアクリル系の粘着剤を４０μｍの厚さになるように塗布した２０ｃｍ×２０ｃｍの粘着シート２枚を壁紙の適宜位置（大型冷蔵庫の高さよりやや上方の左右）に貼着し、各粘着シートに１０ｃｍ×１０ｃｍの粘着マットを貼着した。
【００６２】
そして、冷蔵庫用治具を使用して、大型冷蔵庫の背面上部の移動用提げ手に連結することにより壁紙に大型冷蔵庫を固定した。
【００６３】
耐震試験において、大型冷蔵庫は転倒しなかった。
【実施例７】
【００６４】
設置対象物として大型冷蔵庫を使用し、図５に示すように、大型冷蔵庫の背面上部に位置する左右の移動用提げ手Ｃ１と壁紙とを冷蔵庫用治具を介して粘着マットにより固定した。
【００６５】
本実施例においては、壁紙の表面に接着性低減層を有するものを使用しているので、接着性低減層除去剤である塩素系漂白剤を使用しての接着性低減層除去工程を経た上で、厚さ５０μｍのポリエチレンテレフタレートシートを基材とし、粘着面にアクリル系の粘着剤を３０μｍの厚さになるように塗布した２０ｃｍ×２０ｃｍの粘着シート２枚を壁紙の適宜位置（大型冷蔵庫の高さよりやや上方の左右）に貼着し、各粘着シートに１０ｃｍ×１０ｃｍの粘着マットを貼着した。
【００６６】
そして、冷蔵庫用治具を使用して、大型冷蔵庫の背面上部の移動用提げ手に連結することにより壁紙に大型冷蔵庫を固定した。
【００６７】
耐震試験において、大型冷蔵庫は転倒しなかった。
【実施例８】
【００６８】
設置対象物としてロッカーを使用し、図４に示すように、ロッカーの側面と壁紙とを、固定ネジ付きプレート及び連結プレート（以下、総称して「治具」という。」を介して粘着マットにより固定した。
【００６９】
本実施例においては、壁紙の表面に接着性低減層を有するものを使用しているので、接着性低減層除去剤であるアセトンを使用しての接着性低減層除去工程を経た上で、厚さ１２５μｍのポリエチレンテレフタレートシートを基材とし、粘着面にアクリル系の粘着剤を６０μｍの厚さになるように塗布した１０ｃｍ×１０ｃｍの粘着シート４枚を壁紙の適宜位置（ロッカーの左右両側から少し離れた位置の上下）に貼着し、各粘着シートに４ｃｍ×４ｃｍの粘着マットを貼着した。
【００７０】
ロッカーの側面には、壁紙に貼着した粘着マットに対応する適宜位置に４ｃｍ×４ｃｍの粘着マット４枚を貼着し、壁紙の粘着マットとロッカー側面の粘着マットとを治具を介して連結することにより壁紙にロッカーを固定した。
【００７１】
耐震試験において、ロッカーは転倒しなかった。
【実施例９】
【００７２】
設置対象物としてロッカーを使用し、図４に示すように、ロッカーの側面と壁紙とを、固定ネジ付きプレート及び連結プレート（以下、総称して「治具」という。」を介して粘着マットにより固定した。
【００７３】
本実施例においては、壁紙の表面に接着性低減層を有するものを使用しているので、接着性低減層除去剤である塩素系漂白剤を使用しての接着性低減層除去工程を経た上で、厚さ７５μｍのポリエチレンテレフタレートシートを基材とし、粘着面にアクリル系の粘着剤を４０μｍの厚さになるように塗布した１０ｃｍ×１０ｃｍの粘着シート４枚を壁紙の適宜位置（ロッカーの左右両側から少し離れた位置の上下）に貼着し、各粘着シートに４ｃｍ×４ｃｍの粘着マットを貼着した。
【００７４】
ロッカーの側面には、壁紙に貼着した粘着マットに対応する適宜位置に４ｃｍ×４ｃｍの粘着マット４枚を貼着し、壁紙の粘着マットとロッカー側面の粘着マットとを治具を介して連結することにより壁紙にロッカーを固定した。
【００７５】
耐震試験において、ロッカーは転倒しなかった。
【００７６】
［比較例１］
設置対象物としてロッカーを使用し、ロッカーの上面と壁紙とを治具を介して粘着マットにより固定した。
【００７７】
本比較例においては、壁紙の表面には接着性低減層を有しないものを使用しているので、接着性低減層除去剤による接着性低減層除去工程を経ずに、壁紙の適宜位置（ロッカーの高さより少し上方の左右）に４ｃｍ×８ｃｍの粘着マットを貼着した。
【００７８】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００７９】
耐震試験において、壁紙が破れてロッカーが転倒した。その理由は、実施例１と比較すると、粘着シートを使用の有無の違いであり、粘着シートを使用しなかったことが転倒した原因と考えられる。
【００８０】
［比較例２］
設置対象物としてロッカーを使用し、ロッカーの上面と壁紙とを治具を介して粘着マットにより固定した。
【００８１】
本比較例においては、壁紙の表面に接着性低減層を有しないものを使用しているので、接着性低減層除去剤による接着性低減層除去工程を経ずに、厚さ７５μｍのポリエチレンテレフタレートシートを基材とし、粘着面にアクリル系の粘着剤を４０μｍの厚さになるように塗布した１０ｃｍ×１０ｃｍの粘着シート２枚を壁紙の適宜位置（ロッカーの高さより少し上方の左右）に貼着して、各粘着シートに４ｃｍ×８ｃｍの粘着マットを貼着した。
【００８２】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００８３】
耐震試験において、粘着シートが壁紙から剥がれてロッカーが転倒した。その理由は、実施例１と比較すると、粘着シートの面積８ｃｍ×１６ｃｍにしたことにより粘着シートの面積が粘着マットの面積の４倍未満となって壁紙に対する粘着シートの粘着性が低下したことが転倒した原因と考えられる。
【００８４】
［比較例３］
設置対象物としてロッカーを使用し、ロッカーの上面と壁紙とを治具を介して粘着マットにより固定した。
【００８５】
本比較例においては、壁紙の表面に接着性低減層を有するものを使用しているが、接着性低減層除去剤による接着性低減層除去工程を経ずに、厚さ７５μｍのポリエチレンテレフタレートシートを基材とし、粘着面にアクリル系の粘着剤を４０μｍの厚さになるように塗布した２０ｃｍ×２０ｃｍの粘着シート２枚を壁紙の適宜位置（ロッカーの高さより少し上方の左右）に貼着して、各粘着シートに４ｃｍ×８ｃｍの粘着マットを貼着した。
【００８６】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００８７】
耐震試験において、粘着シートが壁紙から剥がれてロッカーが転倒した。その理由は、実施例２と比較すると、壁紙表面の接着性低減層を除去しなかったことにより、壁紙に対する粘着シートの粘着性が低下したことが転倒した原因と考えられる。
【００８８】
［比較例４］
設置対象物としてロッカーを使用し、ロッカーの上面と壁紙とを治具を介して粘着マットにより固定した。
【００８９】
本比較例においては、壁紙の表面に接着性低減層を有するものを使用し、接着性低減層除去剤であるアセトンを使用しての接着性低減層除去工程を経た上で、厚さ７５μｍのポリエチレンテレフタレートシートを基材とし、粘着面にアクリル系の粘着剤を４０μｍの厚さになるように塗布した１０ｃｍ×１０ｃｍの粘着シート２枚を壁紙の適宜位置（ロッカーの高さより少し上方の左右）に貼着して、各粘着シートに４ｃｍ×８ｃｍの粘着マットを貼着した。
【００９０】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００９１】
耐震試験において、粘着シートが壁紙から剥がれてロッカーが転倒した。その理由は、実施例２と比較すると、粘着シートの面積２０ｃｍ×２０ｃｍを１０ｃｍ×１０ｃｍにしたことにより粘着シートの面積が粘着マットの面積の４倍未満となって壁紙に対する粘着シートの粘着性が低下したことが転倒した原因と考えられる。
【００９２】
［比較例５］
設置対象物としてロッカーを使用し、ロッカーの上面と壁紙とを治具を介して粘着マットにより固定した。
【００９３】
本比較例においては、壁紙の表面に接着性低減層を有するものを使用し、接着性低減層除去剤であるアセトンを使用しての接着性低減層除去工程を経た上で、壁紙の適宜位置（ロッカーの高さより少し上方の左右）に４ｃｍ×８ｃｍの粘着マット２枚を貼着した。
【００９４】
ロッカーの上面には、壁紙に貼着した粘着マットに対応する適宜位置に４ｃｍ×８ｃｍの粘着マット２枚を貼着し、壁紙の粘着マットとロッカー上面の粘着マットとを治具を介して連結することにより壁紙にロッカーを固定した。
【００９５】
耐震試験において、壁紙が破れてロッカーが転倒した。その理由は、実施例２と比較すると、粘着シートを使用の有無の違いであり、粘着シートを使用しなかったことが転倒した原因と考えられる。
【００９６】
［試験結果のまとめ］
以上の実施例及び比較例を整理した表１に示すように、壁紙表面に接着性低減層がない場合には、耐震マットに対する粘着シートの面積倍率４倍以上の粘着シートを使用すれば転倒せず、粘着シートを使用しないか、又は、面積倍率４倍未満の粘着シートを使用すれば転倒する結果となった。
【００９７】
また、壁紙表面に接着性低減層を有していてもアセトン又は塩素系漂白剤を使用しての接着性低減層除去工程を経た場合には、耐震マットに対する粘着シートの面積倍率４倍以上の粘着シートを使用すれば転倒せず、粘着シートを使用しないか、又は、面積倍率４倍未満の粘着シートを使用すれば転倒する結果となった。
【００９８】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
Ａ………壁面
Ｂ………設置対象物
Ｂ１……設置対象物の背面
１０……粘着シート
２０……粘着マット
Ｂ………設置対象物
Ｂ１……設置対象物の背面
１１……粘着シート
２１……粘着マット
Ｂ２……設置対象物の上面
１２……粘着シート
２２ａ…粘着マット
３２ａ…固定ネジ付きプレート
２２ｂ…粘着マット
３２ｂ…固定ネジ付きプレート
４２ａ…固定ネジ
４２ｂ…固定ネジ
５２……連結プレート
Ｂ３……設置対象物の側面
１３……粘着シート
２３ａ…粘着マット
３３ａ…固定ネジ付きプレート
２３ｂ…粘着マット
３３ｂ…固定ネジ付きプレート
４３ａ…固定ネジ
４３ｂ…固定ネジ
５３……連結プレート
Ｃ………冷蔵庫
Ｃ１……冷蔵庫の移動用提げ手
１４……粘着シート
２４……粘着マット
３４……係合具付きプレート
４４……係合具
５４……連結ベルト
【図１】
2019011433.tif 000004
【図２】
2019011433.tif 000005
【図３】
2019011433.tif 000006
【図４】
2019011433.tif 000007
【図５】
2019011433.tif 000008
【図６】
2019011433.tif 000009